(57)【特許請求の範囲】
【請求項１】
出金紙幣を集積させるとともに集積状態で紙幣を搭載して上下動可能なステージと、このステージの位置出し及び紙幣を感知するポジションセンサと、前記ステージのボトム位置を感知するセンサと、前記ステージ上に紙幣を集積させるとともにステージ上の紙幣を繰り出す繰り出し集積機構と、この繰り出し集積機構により集積された紙幣の枚数をカウントするカウンタとを有するエスクロ部を備え、
このエスクロ部では、一定枚数の紙幣をステージ上に集積する毎に、ステージを下降させ、設定枚数の紙幣をステージ上に集積した後、ステージをボトム位置に移動して、この際、ポジションセンサがオンの場合には集積動作を終了し、ポジションセンサがオフの場合にはポジションセンサがオンとなるまでステージを上昇させてから再びステージ上に一定枚数の紙幣を集積することを特徴とする自動取引装置。
【請求項２】
請求項１において、
エスクロ部では、ステージがボトム位置のときにポジションセンサがオンの場合には、ステージをボトム位置から更に下げてポジションセンサがオフしたときには、更にステージ上に一定枚数の紙幣を集積し、ポジションセンサがオンになったときに集積動作を終了することを特徴とする自動取引装置。
【発明の詳細な説明】
【０００１】
【発明の属する技術分野】
本発明は、金融機関等の店舗に設置される自動取引装置に関し、特に、出金頻度の高い種類の紙幣を接客口の近傍に集積しておくことで、出金動作の高速化を図るのに有用な技術である。
【０００２】
【従来の技術】
従来の自動取引装置としては、接客口の近傍にエスクロ部を設け、このエスクロ部に出金頻度の高い種類の紙幣を所定枚数だけ集積しておくことで、出金動作の高速化を図るようにしたものが知られている。また、そのエスクロ部は、自動取引装置内に紙幣が無い場合、補充紙幣を収納した補充・回収カセットから紙幣を繰り出して媒体収納庫に補充するのと同様に、出金頻度の高い種類の紙幣が補充・回収カセットから所定枚数だけ補充されるようになっている。
【０００３】
なお、補充・回収カセットから繰り出された紙幣は、搬送路に沿って鑑別部を通過して金種、真偽、正損等を判断され、例えば、万券は媒体収納庫に、千券はエスクロ部に集積される。このとき、補充される枚数は、媒体収納庫及びエスクロ部ともに予め設定されており、設定値に達した金種が繰り出された場合、その紙幣は、補充・回収カセットの収納部に集積されるようにしてある。
【０００４】
また、自動取引装置内に紙幣が有る場合、ある設定枚数を下回った金種が、前記設定値を超えるまで自動的に補充される。補充終了後、エスクロ部は、厚さの枚数管理を、紙幣入出金機制御部は補充した枚数をカウンタにて記憶する。
【０００５】
【発明が解決しようとする課題】
上記従来の自動取引装置では、エスクロ部は、収納容量が少ないため出金動作が連続してしまうと、すぐに補充要の状態となり、自動的に補充動作に入るようになっている。
しかし、従来の自動取引装置は、補充要の状態で補充動作を行う前に出金取引が行われるとエスクロ部を設けた意味が無く、取引時間の短縮の観点では好ましくない。また、取り扱う紙幣等の媒体の１枚の厚さが異なる場合には、枚数管理だけでは、エスクロ部の容量を効率よく使用することができない。
【０００６】
そこで、本発明は、エスクロ部の容量を一杯に使用できるように補充枚数を増やし、エスクロ部が頻繁に補充要とならないようにして、取引時間の短縮を図ることを目的とする。
【０００７】
【課題を解決するための手段】
本発明の自動取引装置は、出金紙幣を集積させるとともに集積状態で紙幣を搭載して上下動可能なステージと、このステージの位置出し及び紙幣を感知するポジションセンサと、前記ステージのボトム位置を感知するセンサと、前記ステージ上に紙幣を集積させるとともにステージ上の紙幣を繰り出す繰り出し集積機構と、この繰り出し集積機構により集積された紙幣の枚数をカウントするカウンタとを有するエスクロ部を備え、このエスクロ部では、一定枚数の紙幣をステージ上に集積する毎に、ステージを下降させ、設定枚数の紙幣をステージ上に集積した後、ステージをボトム位置に移動して、この際、ポジションセンサがオンの場合には集積動作を終了し、ポジションセンサがオフの場合にはポジションセンサがオンとなるまでステージを上昇させてから再びステージ上に一定枚数の紙幣を集積することを特徴とする
【０００８】
上記構成により、エスクロ部では、一定枚数の紙幣をステージ上に集積する毎に、ステージを下降させ、設定枚数の紙幣をステージ上に集積した後、ステージをボトム位置に移動して、この際、ポジションセンサのオン・オフを確認することで、ポジションセンサとボトムセンサの間の距離だけの厚みが紙幣に無いことが分かる。したがって、エスクロ部の残容量を認識することができ、常に容量一杯になるように補充動作を行うことができる。
【０００９】
なお、前記エスクロ部では、ステージがボトム位置のときにポジションセンサがオンの場合には、ステージをボトム位置から更に下げてポジションセンサがオフしたときには、更にステージ上に一定枚数の紙幣を集積し、ポジションセンサがオンになったときに集積動作を終了するようにしてもよい。これにより、ボトム位置に係わらずエスクロ部の容量を十分に利用することができる。
【００１０】
【発明の実施の形態】
以下、図面を参照して、本発明の実施の形態を説明する。なお、これによりこの発明が限定されるものではない。
図１は、実施の形態の自動取引装置を示す側面図であり、太線矢印で補充動作時の紙幣の流れを示している。図に示すように、この自動取引装置１は入出金処理装置２を備え、該入出金処理装置２を顧客が操作することによって、紙葉類としての図示しない紙幣を入金（受入れ）したり、出金（払出し）したりすることができるようになっている。そのために、前記入出金処理装置２内に、入出金用の特定の金種の紙幣を収納する紙幣収納庫３、出金用の紙幣を収納するエスクロ部４、双方向に搬送される紙幣の金種、真偽、正損等を判別する鑑別部５、入金された紙幣を受け入れるとともに出金する紙幣を払い出すための接客口６、補充用の紙幣及び回収された紙幣を収納する補充・回収カセット７、出金取引時に顧客が取り忘れた紙幣を収納する取忘れ紙幣収納庫８、並びに出金取引時、回収時等に真券であると判断されなかった紙幣、すなわち、異常券、及び出金用としては適切でないと判断された紙幣を収納するリジェクト紙幣収納庫９がそれぞれ配設される。そして、前記紙幣収納庫３内にはステージ３ａが上下方向に移動自在に配設され、該ステージ３ａ上に紙幣が堆積された状態で載置される。また、前記補充・回収カセット７は自動取引装置１に対して着脱自在に配設される。
【００１１】
そして、前記エスクロ部４内の上部には図示しない異常券保留部が配設され、該異常券保留部に入金取引時の異常券が一時的に収納される。
さらに、前記紙幣収納庫３の上方には一時保留部１０が配設され、該一時保留部１０に、入金取引時に入金された紙幣が一時的に保留される。また、前記一時保留部１０内の上部に搬送部１１が配設され、該搬送部１１によって紙幣が搬送路１８に繰り出される。
【００１２】
そして、前記補充・回収カセット７には、紙幣を搬送路１８に繰り出すための繰出部１２、及び紙幣を搬送路１８から引き込むための集積部１３、１４が配設され、前記繰出部１２に対応させて補充紙幣収納部１５が、前記集積部１３に対応させて回収部１６が、前記集積部１４に対応させてリジェクト紙幣収納部１７がそれぞれ形成される。前記補充紙幣収納部１５内にはステージ１５ａが昇降自在に配設され、該ステージ１５ａ上に紙幣が堆積された状態で載置される。
【００１３】
ところで、前記入出金処理装置２内には、紙幣を搬送するための搬送路１８が形成され、前述したように、該搬送路１８に紙幣が繰り出されたり、搬送路１８から紙幣が引き込まれたりするようになっている。そのために、前記搬送路１８の所定の位置に搬送ローラが回転自在に配設され、該搬送ローラを正方向又は逆方向に回転させることによって、紙幣を双方向に搬送することができるようになっている。また、前記搬送路１８の各分岐点には紙幣の搬送方向を切り換えるための切換ブレード１９ａ〜１９ｇがそれぞれ配設される。
【００１４】
そして、前記自動取引装置１の前方（図における右方）には、顧客が操作するための顧客操作部２０が形成される。該顧客操作部２０には図示しない表示部付タッチパネル等が形成され、該表示部付タッチパネルを顧客が操作することによって取引種別、取引金額、暗証番号等を入力することができるようになっている。なお、前記自動取引装置１には、入出金処理装置２のほか、図示しない通帳処理装置、明細票印刷処理装置、カード処理装置等が配設される。
【００１５】
ここで、紙幣収納庫３には万券のみが収納され、補充・回収カセット７のステージ１５ａ上には千券のみが収納され、エスクロ部４のステージ４ａには、千券のみを集積させるものとする。
次に、自動取引装置１内に紙幣を補充する動作を説明する。
係員が補充・回収カセット７に補充したい紙幣を集積させて、適宜の操作により補充・回収動作を開始させると、紙幣は、図中に示す太線のように、紙幣の種別に応じて集積場所を切り替えて集積させる。すなわち、補充したい紙幣を集積させた補充・回収カセット７の紙幣は、鑑別部５で鑑別等を行われ、万券であれば一時保留部１０を介して紙幣収納庫３に集積される。千券であれば、まず、数回の出金に対応可能な枚数を、ブレード１９ｃの切り替えによりエスクロ部４のステージ４ａ上に集積し、残りの千券は補充・回収カセット７のステージ１５ａ上に集積させる。なお、数回の出金に対応可能な枚数は、実際の運用形態に応じて経験的に決めればよい。例えば、９枚の紙幣でよい。なお、その枚数をカウントする図示しないカウンタが、紙幣収納庫３、エスクロ部４、補充・回収カセット７に設けてある。
【００１６】
次に、自動取引装置の制御系を説明する。図２は、実施の形態の自動取引装置の一例を示すブロック図である。
図において、主制御部３１は自動取引装置１の動作全体を制御するもので、この主制御部３１には、顧客操作部２０および紙幣入出金機２が接続されている。主制御部３１には、さらに、図示していないが明細票印刷装置、カード処理装置等、自動取引装置を構成するのに必要な装置類が接続される。
【００１７】
主制御部３１は紙幣入出金機２の紙幣入出金機制御部３２に接続され、該制御部３２を制御する。紙幣入出金機制御部３２は、紙幣入出金機２の動作全体を制御するもので、Ｉ／Ｏインタフェース回路３３を介して、図１で説明した各部に接続されている。モータ駆動回路３４はモータ３５を駆動する回路で、このモータ３５を駆動することにより搬送部１１が作動し、一時保留部１０における紙幣の集積および分離繰り出しを行う。
【００１８】
モータ駆動回路３６はモータ３７を駆動する回路で、このモータ３７を駆動することにより、紙幣収納庫３のステージ３ａの上昇および下降動作を行う。
モータ駆動回路３８はモータ３９を駆動する回路で、このモータ３９を駆動することにより、エスクロ部４への紙幣の集積を行うとともに、このエスクロ部４からの紙幣の分離繰り出しを行う。モータ駆動回路４０はモータ４１を駆動する回路で、このモータ４１を駆動することにより、補充・回収カセット７への紙幣の集積を行うとともに補充回数カセットからの紙幣の繰り出しを行う。  モータ駆動回路４２はモータ４３を駆動する回路で、このモータ４３を駆動することにより、紙幣搬送路１８のローラ群やベルト群が作動して紙幣が搬送可能になる。なお、紙幣は双方向に搬送可能である。
【００１９】
マグネット駆動回路４４はプランジャマグネット４５を駆動する回路で、このプランジャマグネット４５を駆動することにより、紙幣搬送路１８に設けられた切り替えブレード１９ａ〜１９ｇを作動させる。
上述した紙幣入出金機制御部３２は鑑別部５にも接続されており、鑑別部５で紙幣の鑑別を行うとその鑑別情報が紙幣入出金機制御部３２へ送られ、紙幣入出金機制御部３２はこの情報に基づいて金種、真偽、走行状態等を鑑別する。
【００２０】
それでは、エスクロ部４への補充動作の詳細を次に説明する。図３に、エスクロ部の動作説明図を示す。
４はエスクロ部である。４ａは媒体が集積されるステージ、４０１，４０２は４ａに集積するとき、また、４から出金するときに媒体を搬送する搬送ローラである。４０３は媒体を集積するときにステージ４ａの位置出しを行うポジションセンサである。４０４はステージ４ａのボトム位置を検出するボトムセンサである。
【００２１】
まず、補充動作時には、紙幣入出金制御部（以下「制御部」という。）３２により、ステージ４ａを下降させ、ボトムセンサ４０４（以下「Ｂセンサ」という。）を遮る（以下「ＯＮ」という。）位置で停止する。
次に、ステージ４ａを上昇させ、ポジションセンサ（以下「Ｐセンサ」という。）４０３のＯＮ位置で停止させる（１）。この位置より補充を開始する。このとき、ステージ４ａは、ｎ枚毎に一定距離下降し、集積を行う（２）。
【００２２】
設定枚数をエスクロ部に集積させた後、ステージ４ａをＢセンサ４０４のＯＮ位置まで下降させる。このとき、媒体の状態により、（３）（４）の２通りの状態となる。（４）の場合は、補充終了となる。（３）の場合は、ステージ１０４をＰセンサ４０３のＯＮ位置まで上昇させる。このとき、Ｂセンサ４０４がＯＮしていなければ、さらに一定枚数を補充する。
【００２３】
以上説明したように、従来は、一定枚数補充することにより、補充処理を完了していたが、一定枚数集積後に集積状態（厚み）を確認し、集積可能であれば、さらに追加補充を行うことにより、補充枚数を増やすことができる。
これにより、運用中の補充の回数を減らすことができ、装置の運用効率を高めることが可能となる。
【００２４】
第２の実施の形態
上記第１の実施の形態で、集積媒体の厚さが薄ければ、追加して補充を行うようにしたが、さらに、細かく集積媒体の厚さを見る処理を行う。図４に、エスクロ部の動作説明図を示す。
補充を開始すると、ステージ４ａは、一定枚数毎に一定距離下降する。設定枚数エスクロ部に集積すると、上記図３の（４）の場合、Ｐセンサ４０３がＯＮしているので、補充終了としていたが、ここではＢセンサ４０４をＯＦＦするまで、ステージ４ａを下降させる。ここでＰセンサ４０３がＯＦＦしていれば（図４）、Ｐセンサ４０３をＯＮするまで、ステージ４ａを上昇させる。そして、一定枚数を補充し、上記と同様に集積状態を検知し、Ｐセンサ４０３がＯＮとなった時点で補充を終了する。
【００２５】
以上のように、ステージ動作を追加することにより、さらに、集積状態の検知を細分化することが可能となる。これにより、第１の実施の形態で補充を終了としていた場合についても、追加して補充することが可能となる。
【００２６】
【発明の効果】
以上説明したように本発明の自動取引装置によると、エスクロ部では、一定枚数の紙幣をステージ上に集積する毎に、ステージをボトム位置に移動し、この際、ポジションセンサのオン・オフを確認することで、エスクロ部の残容量を認識することができ、常に容量一杯になるように補充動作を行うことができる効果が得られる。したがって、従来のエスクロ部の容量であっても、本発明によるとエスクロ部の容量を一杯に使用することができるため、従来に比べて補充枚数を増やすことができ、補充要の回数を減らせる。このため、自動取引装置の取引時間が短縮できる。
【図面の簡単な説明】
【図１】実施の形態の自動取引装置を示す側面図
【図２】実施の形態の自動取引装置を示すブロック図
【図３】第１の実施の形態のエスクロ部の動作説明図
【図４】第２の実施の形態のエスクロ部の動作説明図
【符号の説明】
１  自動取引装置
２  入出金処理装置
３  紙幣収納庫
４  エスクロ部
４ａ  ステージ
５  鑑別部
６  接客口
７  補充・回収カセット
１０  一時保留部
【図１】
0004089021.tif 000002
【図２】
0004089021.tif 000003
【図３】
0004089021.tif 000004
【図４】
0004089021.tif 000005